【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  電子素子を備える複数の単位回路と、
前記複数の単位回路に接続されたデータ線と、を備え、
各前記単位回路には、前記電子素子の出力を所定のデューティ比で制御する制御線が接続されており、
各前記制御線には、所定周期期間内に前記電子素子を複数回動作させる信号が供給可能に構成されている、
電子装置。
【請求項２】  一対の前記単位回路には、各前記電子素子の出力を所定のデューティ比で制御する一対の制御線のいずれか一方が接続されており、
前記制御線には、互いに近接もしくは隣接した逆位相部を有する制御信号が供給可能に構成されている、
請求項１に記載の電子装置。
【請求項３】  所定数の前記単位回路が一組を構成しており、
隣接する組の前記単位回路に供給される前記制御信号は、前記隣接する組間で近接もしくは隣接した逆位相部を有するように構成されている、
請求項１に記載の電子装置。
【請求項４】  前記制御信号のデューティ比が変更可能に構成されている、
請求項２に記載の電子装置。
【請求項５】  一対の前記制御線は、隣接する前記単位回路毎に交差している、
請求項２に記載の電子装置。
【請求項６】  前記データ線から前記単位回路に書き込まれ、前記電子素子の出力を制御するデータ信号は、前記制御信号のデューティ比が最大の時よりも大きな値で供給される、
請求項１に記載の電子装置。
【請求項７】  電子素子を駆動する複数の単位回路にデータ線を介してデータ信号を供給する電子装置の駆動方法において、
前記各単位回路には、前記電子素子の出力を所定のデューティ比で制御する制御信号を供給する制御線が接続されており、
前記制御信号により、所定周期期間内に前記電子素子を複数回動作させる、
電子装置の駆動方法。
【請求項８】  前記単位回路には、各前記電子素子の出力を所定のデューティ比で制御する一対の制御線が接続されており、
前記一対の制御線に供給される制御信号は、互いに近接もしくは隣接した逆位相部を有する、
請求項７に記載の電子装置の駆動方法。
【請求項９】  前記データ線から前記単位回路に書き込まれ、前記電子素子の出力を制御する前記データ信号は、前記制御信号のデューティ比が最大の時よりも大きな値で供給される期間を有する、
請求項７に記載の電子装置の駆動方法。
【手続補正２】
【補正対象書類名】明細書
【補正対象項目名】００１０
【補正方法】変更
【補正の内容】
【００１０】
本発明に係わる電子装置は、電子素子を備える複数の単位回路と、前記複数の単位回路に接続されたデータ線と、を備え、各前記単位回路には、前記電子素子の出力を所定のデューティ比で制御する制御線が接続されており、各前記制御線には、所定周期期間内に前記電子素子を複数回動作させる信号が供給可能に構成されている。
【手続補正３】
【補正対象書類名】明細書
【補正対象項目名】００１１
【補正方法】変更
【補正の内容】
【００１１】
一対の前記単位回路には、各前記電子素子の出力を所定のデューティ比で制御する一対の制御線のいずれか一方が接続されており、前記制御線には、互いに近接もしくは隣接した逆位相部を有する制御信号が供給可能に構成されていてもよい。
【手続補正４】
【補正対象書類名】明細書
【補正対象項目名】００１２
【補正方法】変更
【補正の内容】
【００１２】
所定数の前記単位回路が一組を構成しており、隣接する組の前記単位回路に供給される前記制御信号は、前記隣接する組間で近接もしくは隣接した逆位相部を有するように構成されてもよい。
【手続補正５】
【補正対象書類名】明細書
【補正対象項目名】００１３
【補正方法】変更
【補正の内容】
【００１３】
前記制御信号のデューティ比が変更可能に構成されてもよい。
【手続補正６】
【補正対象書類名】明細書
【補正対象項目名】００１４
【補正方法】変更
【補正の内容】
【００１４】
一対の前記制御線は、隣接する前記単位回路毎に交差していてもよい。
【手続補正７】
【補正対象書類名】明細書
【補正対象項目名】００１５
【補正方法】変更
【補正の内容】
【００１５】
前記データ線から前記単位回路に書き込まれ、前記電子素子の出力を制御するデータ信号は、前記制御信号のデューティ比が最大の時よりも大きな値で供給されてもよい。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００３０
【補正方法】変更
【補正の内容】
【００３０】
本発明に係わる電子装置の駆動方法は、電子素子を駆動する複数の単位回路にデータ線を介してデータ信号を供給する電子装置の駆動方法において、前記各単位回路には、前記電子素子の出力を所定のデューティ比で制御する制御信号を供給する制御線が接続されており、前記制御信号により、所定周期期間内に前記電子素子を複数回動作させる。
【手続補正１９】
【補正対象書類名】明細書
【補正対象項目名】００３１
【補正方法】変更
【補正の内容】
【００３１】
前記単位回路には、各前記電子素子の出力を所定のデューティ比で制御する一対の制御線が接続されており、前記一対の制御線に供給される制御信号は、互いに近接もしくは隣接した逆位相部を有してもよい。
【手続補正２０】
【補正対象書類名】明細書
【補正対象項目名】００３２
【補正方法】変更
【補正の内容】
【００３２】
前記データ線から前記単位回路に書き込まれ、前記電子素子の出力を制御する前記データ信号は、前記制御信号のデューティ比が最大の時よりも大きな値で供給される期間を有してもよい。
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】